(57)【要約】【課題】筒体への組み付けが容易で、クリップ部に挟持力を付与するバネ支点の短期劣化を防いで長期に亘り品質の保障が期待でき、しかも、外観がシンプルな筆記具や化粧具等の小物製品に有効なバインダー式のクリップを提供する。【解決手段】軸筒又はキャップ等の筒体４に揺動可能に装着されて揺動支持点Ｐ０より前端側が筒体４表面に付勢接触され、後端側操作部５を筒体４側に押圧させることにより、前端側が筒体４表面から離れる動きを成すクリップＡにおいて、クリップ部１、弾性部２、取付部３とで構成され、クリップ部１は後端側操作部５を押した時に揺動支持点Ｐ０となる支持脚部６を備え、弾性部２はクリップ部１の後端側操作部５を押した時にクリップ部１の揺動開閉支点Ｐ１となる第１屈曲部９を備え、且つ、クリップ部１に挟持力を付与するバネ支点Ｐ２となる第２屈曲部１０を備える。【選択図】　図１
2004082533.tif 000002
【特許請求の範囲】
【請求項１】
筒体に前後揺動可能に装着されて、該揺動開閉支点より前端側が筒体表面に付勢接触されており、同揺動開閉支点より後端側の操作部を前記筒体側に押されることにより、前端側が持ち上げられ筒体表面から離れる動きを成すクリップにおいて、
クリップ部と、このクリップ部の裏面に設けられる弾性部と、この弾性部の他端側に一体に形成されて筒体に取り付けられる取付部とで構成され、
前記クリップ部は、後端側操作部を押した時に筒体表面との接触下端部がクリップ部の揺動支持点となるように筒体の表面に向けて突出させた支持脚部を備え、
前記弾性部は、クリップ部の裏面に固定的又は一体的に添設される取付片部を一端側に備えると共に、該取付片部から前記取付部に向けて連なる連設片部を備えて、該連設片部と取付片部との間にクリップ部の後端側操作部を押した時にクリップ部の揺動開閉支点となるように屈曲せしめた第１屈曲部を備え、
更に、前記連設片部と前記取付部との間にはクリップ部に挟持力を付与するバネ支点となるように屈曲せしめた第２屈曲部を備えてなることを特徴とするクリップ。
【請求項２】
請求項１に記載の第１屈曲部が、クリップ部の後端側裏面におけるクリップ部全長の略１／３近傍部位においてクリップ部の後端側操作部を押した時に揺動開閉支点となるように形成されてなることを特徴とするクリップ。
【発明の詳細な説明】
【０００１】
【発明の属する技術分野】
本発明は、筆記具や化粧具等の軸筒やキャップ等の筒体に前後方向に揺動可能に装着されて、この揺動支持点から玉部を有する前端側が筒体表面に適宜の挟持力により常に付勢接触されており、該揺動支持点より後端側の操作部を筒体側へ押圧することにより、玉部を有する前端側が筒体表面から離れ、この開状態にて衣服の胸ポケットやノート等の被挾着物への挟み込み挟持を可能とするバインダー式のクリップに関する。
【０００２】
【従来の技術】
この種の動きを成すバインダー式のクリップは、実用新案登録第３０４３７２１号（以後、前者）、そして実用新案登録第３０４６６４９号や特開２０００−７９７９２号（以後、後者）に公表されているものが知られている。
即ち、上記前者のものは、クリップ部が、軸受、支持軸により筒体の表面に前後揺動可能に軸着され、クリップ部の後端側裏面に設けた突出片（伝導片）が位置する筒体の筒壁部位には略コの字状の切欠き溝を設けることで、筒方向に長くその一端を反発基部とする反発舌片を形成し、この舌片により、前記軸受、支持軸からなる軸着部を揺動支持点としてクリップ部の前端側が筒体表面に常に付勢接触されるように構成されている。
【０００３】
また、後者のものは、クリップ部が、回転軸により筒体の表面に前後揺動可能に軸着され、クリップ部の後端側と筒体との間にねじりバネや板バネ等のバネ材を設け、このバネ材により、前記軸着部を揺動支持点とするクリップ部の前端側が筒体表面に常に付勢されるように構成されている。
【０００４】
【発明が解決しようとする課題】
ところで、筆記具や化粧具等の小物製品は生産性とロット数が収益に大きく影響するものであるが、上記前者の場合はクリップ部に支持軸、そして突出片を設け、筒体側には軸受、反発舌片形成用の切欠き溝を設ける等の構造が複雑となり、加工と組み立てに手間が掛かる。
また、クリップ部の取り付けは支持軸を軸受間に架橋状に挿し込むといった構造であることから、クリップ部の揺動開閉操作が頻繁に行われることで、軸受の軸挿通口が磨耗を来たして軸受から支持軸が離脱し、クリップ部が外れる等の品質性にも問題があった。また、クリップ部の支持軸や軸受が筒体表面に露出する構造であることで、高級な筆記具には不向きな構造である。
【０００５】
後者の場合にはクリップ部の筒体への取付け部品点数が多く構造が複雑になり、筒体への組み付けに手間が掛かる等の欠点が存在していた。また、部品点数が多く構造が複雑であるために、故障等も多くなる問題がある。同時前者と同様に高級な筆記具には不向きな構造である。
【０００６】
また、上記の前者や後者のように、後端側操作部を筒体側へ押圧することにより、前端側が筒体表面から離れる動きを成すクリップについてはＵＳ５，６０１，３７６（以後、ＵＳ）やＷＯ９９／４２３０４（ＰＣＴ／ＥＰ９８／０４２０４）（以後、ＷＯ）においても公表されている。
ＵＳ特許において公表されているクリップは、筒体の後端側表面に設けた装着ブロックを抱き込むように係合させる爪部をクリップ部の後端側両側に内向きに設け、クリップ部の後端には裏面側に向けて折り返すようにバネ部を設け、このバネ部により、前記爪部による係合部を揺動支持点としてクリップ部の前端側が筒体表面に常に付勢接触されるように構成されている。
【０００７】
ＷＯ特許において公表されているクリップは、クリップ部の後端側裏面に、クリップ部の両折り曲げ縁から延設させると共に合せ縁が互いに接近するように内向きに折り曲げ且つクリップ部の前端側に突出させた挿入部を設け、この挿入部を筒体の後端側に設けられている固定部に挿入により取り付けることで、この挿入部のクリップ部に対する接続基部を揺動支持点としてクリップ部の前端側が筒体表面に常に付勢接触され、後端側の湾曲状に反り上げた操作部を筒側に押圧することにより、前端側が筒体表面から離れる動きを成すように構成されている。
【０００８】
本発明はこの様な従来事情に鑑みてなされたもので、その目的とする処は、筒体への組み付けが容易で、クリップ部に挟持力を付与するバネ支点の短期劣化を防いで長期に亘り品質の保障が期待でき、しかも、外観がシンプルな筆記具や化粧具等の小物製品に有効なバインダー式のクリップを提供することにある。
【０００９】
【課題を達成するための手段】
上記目的を達成するために請求項１の発明は、筆記具や化粧具等の軸筒又はキャップ等の筒体に前後揺動可能に装着されて、該揺動開閉支点より前端側が筒体表面に付勢接触されており、同揺動開閉支点より後端側の操作部を前記筒体側に押されることにより、玉部を有する前端側が筒体表面から離れ、衣服の胸ポケットやノート等の被挾着物へ差し込むことができるクリップにおいて、
クリップ部と、このクリップ部の裏面に設けられる弾性部と、この弾性部の他端に一体に形成されて筒体に取り付けられる取付部とで構成され、
前記クリップ部は、後端側操作部を押した時に筒体表面との接触部がクリップ部の揺動支持点となるように筒体の表面に向けて突出させた支持脚部を備え、
前記弾性部は、クリップ部の裏面に固定的又は一体的に添設される取付片部を一端側に備えると共に、該取付片部から前記取付部に向けて連なる連設片部を備えて、該連設片部と取付片部との間にクリップ部の後端側操作部を押した時にクリップ部の揺動開閉支点となるように屈曲せしめた第１屈曲部を備え、
更に、前記連設片部と前記取付部との間にはクリップ部に挟持力を付与するバネ支点となるように屈曲せしめた第２屈曲部を備えてなることである。
【００１０】
そして、上記クリップ部が金属製の場合には弾性部をクリップ部の後端から裏面に向けた折り曲げ加工により一体に備えたり、弾性部をクリップ部とは別途に折り曲げ加工した後に、クリップ部の裏面にスポット溶接や圧入、或いはカシメ等の固着手段により備える。
また、クリップ部が樹脂製の場合には別途に製作した弾性部を溶着等の固着手段によりクリップ部の裏面に備える。
【００１１】
また、上記取付部の形状、即ち筒体に対する取付形状としては特に限定されるものではない。
例えば筒体の後端に圧入やネジ込み方式により組み込まれる止め具により挟み込むように軸方向に挾着される輪状のもの、又、筒体の後端外周に嵌め込み外嵌により取り付けられる筒状や一対の帯部からなるバンド状のもの、或いは両縁に鋸刃状の抜止爪を有し、筒体の後端に軸方向に設けられている挿入孔に圧入により取り付けられる折返し挿入片状のもの等が挙げられる。
【００１２】
また、請求項２の発明は、クリップ部の後端側操作部を押した時にクリップ部の揺動開閉支点となる第１屈曲部が、クリップ部の後端側裏面におけるクリップ部全長の略１／３近傍部位においてクリップ部の後端側操作部を押した時に揺動開閉支点となるように形成され、これにより、クリップ部の後端側操作部を筒体側に押す前端側の開操作を小さな力で軽く行い得るようにしたことにある。
【００１３】
【発明の実施の形態】
本発明の実施の具体例を図面に基づいて説明する。
図１は、本発明クリップＡの実施形態の一例を示し、１はクリップ部、２は弾性部、３は筒体４に挾着や外嵌或いは圧入等により取り付けられる取付部であり、筒体４は、筆記具や化粧具等の軸筒やキャップその他の携帯を可能とする小物製品の本体部である。
【００１４】
クリップ部１は、金属板を用いた曲げ加工、或いは溶融金属材料や合成樹脂材料を用いた型成形により形成される。図示では金属板を用いた一連の打ち抜き、曲げ加工により製作される金属製の例を示す。
このクリップ部１の前端裏面（筒体４との対向面）に玉部１−１が曲げ加工により形成され、該玉部１−１の後方側には後端側操作部５を押した時に筒体４表面との接触下端部６−１がクリップ部１の前後揺動支持点Ｐ１となるように筒体４の表面に向けて突出させた支持脚部６が曲げ加工により形成されている。
【００１５】
支持脚部６は、クリップ部１の幅方向両縁から同幅間隔にて平行且つ適宜の突出形状と高さにて筒体４の表面方向に曲げ加工により一体に形成され、筒体４表面に接触する下端接触部６−１が、後端側操作部５を押した時にクリップ部１の玉部１−１を有する前端側が持ち上げられ筒体４の表面から離れるクリップ部１の前後揺動支持点Ｐ０となるようにしてある（図の状態）。
つまり、弾性部２の弾発力（バネ力）に抗して後端側操作部５が押されると、支持脚部６の下端接触部６−１を揺動支持点Ｐ０にしてクリップ部１の筒体４表面に付勢接触する玉部側が持ち上げられ筒体の表面から離れるように形成してある。
【００１６】
弾性部２は、適宜の剛性とバネ性に優れた所望の金属板から一連の打ち抜き、曲げ加工により形成されるものである。
この弾性部２の他端側には筒体４後端のクリップ装着部７に止め具８より軸方向に挟み込まれる輪状（リング状）に打ち抜き加工された後に、筒体４の軸芯に対して略直交するように略鋭角に曲げ加工された取付部３が後述する第２屈曲部１０を介して一体に形成されている。
【００１７】
而して、取付部３が筒体４のクリップ装着部７に止め具８より組み込み取り付けられることで、第２屈曲部１０にはクリップ部１の前端側を筒体４表面に常に付勢接触させる挟持力（弾発力）が付与される。つまり、第２屈曲部１０がクリップ部１に挾着力を付与するバネ支点Ｐ２となり、クリップ部１の前端側を筒体４表面に常に付勢接触させるように形成されている。
【００１８】
また、弾性部２の一端側にはスポット溶接等の固着手段によりクリップ部１の裏面に固定的に添設される取付片部２−１が同裏面に納まる程度の板幅で同裏面形状に沿うように曲げ加工により形成されている。
そして、この取付辺部２−１との間にクリップ部１の後端側操作部５を押した時にクリップ部１の揺動開閉支点Ｐ１となる第１屈曲部９を介して後方下向き傾斜状で第２屈曲部Ｐ２を介して前述の輪状取付部３に連設する連設片部２−２が曲げ加工により形成されている。
【００１９】
第１屈曲部９は、クリップ部１の後端側操作部５を筒体１側に押した時、玉部１−１を有するクリップ部１の前端側が筒体４表面から離れる際の揺動開閉支点Ｐ１となるように取付片部２−１と連設片部２−２との間に略鈍角状に折り曲げ形成されてなる。
【００２０】
第２屈曲部１０は、玉部１−１を有するクリップ部１の前端側を筒体４表面に付勢接触させる適宜の挟持力（弾発力）を付与するバネ支点Ｐ２となるように連設片部２−２と輪状取付部３との間に略鈍角状に折り曲げ形成されてなる。
【００２１】
而して、以上のように構成された弾性部２の取付辺部２−１をクリップ部１の裏面にスポット溶接等の固着手段により取り付けることで、輪状取付部３を他端側に備える弾性部２がクリップ部１の裏面に具備される。
この時、第１屈曲部９がクリップ部１の後端側におけるクリップ部１全長の略１／３近傍部位においてクリップ部１の裏面に存在するように取付片部２−１のクリップ部１裏面への取付位置を考慮することが好ましい。
【００２２】
その理由としては、例えばクリップ部１の全長Ｌを４０ｍｍとし、２５０ｇの挟持力が得られるように設定し、揺動開閉支点Ｐ１となる第１屈曲部９が、クリップ部１の後端側におけるクリップ部１全長Ｌの略１／４部位においてクリップ部１の裏面に存在させた場合、後端側操作部５を筒体４側に押圧するために必要な力は８７５ｇになる。
また、第１屈曲部９をクリップ部１全長Ｌの略１／２部位においてクリップ部１の裏面に存在させた場合の力は４３８ｇとなり、前述の略１／４部位よりも押圧力が大幅に小さく（軽く）なることが実験の結果分かった。ところが、この様に第１屈曲部９をクリップ部１全長Ｌの略１／２部位に存在させることはクリップ部１の前端側が筒体４表面から離れる開き（開度）が前述の１／４よりもかなり小さくなり、例えば厚手のノート等の被挾着物Ｂへの差し込みが困難になる問題が生じる等の本発明の目的を達成することができなくなるからである。
【００２３】
これらの結果からクリップ部１の後端側操作部５を筒体４側に押す時の力が６６５ｇ程度で、しかも、クリップ部１の前端側の開きが厚手のノート等の被挾着物Ｂであっても何ら問題なくスムーズに差し込むことができる開き（開度）を、クリップ部１の玉部１−１と筒体４との間に確保することができる等を鑑みると、クリップ部１の揺動開閉支点Ｐ１となる第１屈曲部９をクリップ部１の後端側におけるクリップ部１全長Ｌの略１／３近傍部位においてクリップ部１の後端側裏面に存在するように弾性部２をクリップ部１の裏面に取り付け具備することが好ましいことが分かった。
【００２４】
また、クリップ部１の両支持脚部６における下端接触部６−１の筒体４表面への接触係止が、前述の第１屈曲部９から略直角に筒体４表面方向に向けた下方位置かそれよりも後方位置（筒体４の後端側）において行なわれるように両支持脚部６のクリップ部１両縁からの折り曲げ突出位置及び突出形状を考慮することが好ましい。
【００２５】
次に、以上の如く構成した本実施例詳述のクリップＡの筒体４への取り付け方を簡単に説明する。
まず、弾性部２の他端側に設けた輪状取付部３を、筒体４の後端に形成されているクリップ装着部７にセットし、その後、クリップ装着部７に輪状取付部３を挟み込むように止め具８を圧入やネジ込み方式により組み込む。
輪状取付部３が止め具８によりクリップ装着部７に挾着される取り付けがなされると、取付部３と弾性部２の連設片部２−２との第２屈曲部１０には玉部１−１を有するクリップ部１の前端側を筒体４表面側に適宜の挟持力にて付勢接触させる弾発力が生じるものである。
【００２６】
次に、クリップＡが取り付けられた筒体４を使用するときの作用について説明する。
筒体４を衣類のポケットやノート等の被挾着物Ｂに差し込み保管する場合にはクリップ部１の後端側操作部５を筒体４側に押す。
すると、クリップ部１は筒体４表面に接触する両支持脚部６の下端接触部６−１を揺動支持点Ｐ０とし、且つ裏面弾性部２の第１屈曲部９を揺動開閉支点Ｐ１として、玉部１−１を有する前端側が持ち上げられ筒体４表面から離れる動きを成し、被挾着物Ｂを差し込み得る開き状態となる（図３の二点鎖線から実線の状態）。
【００２７】
この時、クリップ部１は筒体４表面に接触する両支持脚部６の下端接触部６−１を揺動支持点Ｐ０として揺動することで、輪状取付部３と第２屈曲部１０を介してクリップ部１の裏面に向けた前方上向き傾斜状に連設する連設片部２−２が該第２屈曲部１０から筒体４の表面方向に歪む（垂れる）ことはない。
即ち、後端側操作部５を筒体４側に押すクリップ部１の開操作時に、曲げ等の応力負荷をバネ支点Ｐ１となる第２屈曲部１０に掛けることがないことから、クリップ部１の初期設定挟持力を長期に亘り保障することができる。
【００２８】
尚、クリップ部２の支持脚部５の高さや連設片部２−２の長さ、そしてクリップ部１のバネ支点Ｐ２となる第２屈曲部１０の湾曲又は屈曲の大小等の曲げ形状は特に限定されるものではない。
また、図示を省略しているが、クリップ部１裏面への弾性部２の取り付けとしてはスポット溶接の他に、取付片部２−１を両側縁の鋸歯状の抜止爪を有する挿入片形状に形成する一方、クリップ部１の裏面には長さ方向両縁を内向き状に折り曲げた取付部を設けて、該取付部への圧入により取り付けるようにするも良い。
【００２９】
また、クリップ部１が樹脂製の場合には前述の圧入方式の他に、クリップ部１の裏面に溶着突起を数個並設的に設ける一方、弾性部２の取付片部２−１側には該溶着突起を貫通させる取付孔を設ける溶着方式等の適宜の固着手段によりクリップ部１の裏面に弾性部２を取り付けることが可能である。
【００３０】
図５は、本発明クリップＡ−１の他の実施形態を示す。
斯かる実施例においては筒体に取り付ける取付部１１の形態を前述の輪状から後述する折返し挿入片状に変えた以外は前述の実施例詳述と基本的に同じことから、同じ構成部分に同じ符号を付することで重複する説明を省略する。
【００３１】
即ち、筒体４に取り付ける取付部１１を、弾性部２の連設片部２−２から第２屈曲部１０を介して筒体４の軸芯と略平行に折返し連設させて筒体４に設けられる挿入孔１２に圧入される挿入片状に折り曲げ形成し、これにより、挿入片状の取付部１１と前記連設片部２−２とを第２屈曲部１０を介して略Ｕ字状に成すように連設させたバネ形状に折り曲げ形成してなる。
尚、挿入片状の取付部１１の両縁には必要に応じて鋸刃状の抜止爪を設けるも勿論任意である。
【００３２】
図６に示すクリップＡ−２は、筒体４を両側から抱き込むように一対の帯部１３−１を弾性部２の連設片部２−２から後方に向かって略筒状に折り曲げ突設させたバンド状の取付部１３と成し、筒体４の後端外周に外嵌せしめることで、クリップ部１を筒体４に装着し得るように構成してなる。
尚、斯かる実施例では取付部１２の形態をバンド状に変えた以外は前述の実施例詳述と基本的に同じことから、同じ構成部分に同じ符号を付することで重複する説明を省略する。
【００３３】
図７は、弾性部２をクリップ部１から曲げ加工により一体に形成した他の実施形態を示す。
斯かる実施例のクリップＡ−３は、弾性部２の取付片部２−１をクリップ部１の後端から裏面に向けて折り返し添設するように折り曲げ加工せしめて当該裏面に、輪状の取付部３を他端側に備える弾性部２を一体に具備せしめたクリップ部１と弾性部２との一体型構造に折り曲げ構成してなるものである。
この様に、斯かる実施例ではクリップ部１と弾性部２とを一体型構造に変えた以外、前述の実施例詳述と基本的に同じことから、同じ構成部分に同じ符号を付することで重複する説明を省略する。
【００３４】
【発明の効果】
本発明のバインダー式のクリップは叙上の如く構成してなることから下記の作用効果を奏する。
玉部を有するクリップ部の前端側を筒体表面に付勢接触させる挟持力のバネ支点Ｐ２とは別途に、クリップ部の後端側操作部を押した時のクリップ部の前後の揺動支持点Ｐ０となる支持脚部をクリップ部自体に設けて、この支持脚部の筒体表面に接触する下端接触部を揺動支持点Ｐ０としてクリップ部の前端側を筒体表面から持ち上げて離すクリップ部の開操作を行うことができるように構成したことで、操作部を筒体側に押すクリップ部の開操作時における屈曲応力等の負荷をバネ支点Ｐ２となる弾性部と取付部との第２屈曲部に掛けることがない。
従って、頻繁に行なわれるクリップ部の開操作により挟持力のバネ支点Ｐ２が金属疲労（弾性疲労）を起こすことがない。よって、クリップ部の初期設定挟持力を長期に亘り維持することができることで、品質の安定性が保障されるバインダー式のクリップを提供することができる。
【００３５】
また、クリップ部の揺動開閉支点Ｐ０となる第１屈曲部を、クリップ部の後端側裏面におけるクリップ部全長の略１／３近傍部位に存在させてなることで、筒体表面に接触するクリップ部の挟持力と後端側操作部を押した時に筒体表面から離れる前端側の開き（開度）を被挾着物への差し込みに支障ない状態に確保しながら、後端側操作部を押す時の力を小さくすることができる。つまり、操作部を筒体側に押すクリップ部の開操作を小さな力で軽く行なうことができることで、操作性、取扱い性に優れたバインダー式のクリップを提供することができる。
【００３６】
また、バインダー式でありながら、弾性部の他端側に設けた取付部を挾着又は外嵌又は圧入等の簡単な取付構造、即ち、一般的な金属製クリップの取付手段として従来から採用されている輪状や一対の帯部からなるバンド状、或いは折返し挿入片状等の簡単な構造にてクリップ部を筒体に取り付けることができる。
従って、構造の複雑化と組立性に難色を有する支持軸や回転軸、更にはバネ材等を用いる従来構造に比べて、構造が簡素化されて組立作業性が頗る簡便となり、生産性の向上が期待でき、ひいてはコスト的にも有利になる。
【図面の簡単な説明】
【図１】本発明クリップを筆記具用とした場合の実施形態の一例を示す縦断側面図
【図２】同平面図
【図３】クリップ部の後端側操作部を筒体側に押圧した状態を示す縦断側面図
【図４】本発明のクリップを筒体に組み付ける一例を示す縦断側面図
【図５】本発明クリップの他の実施形態を示す縦断側面図
【図６】取付部の形状を変えた本発明クリップの他の実施形態を示す縦断側面図
【図７】クリップ部の裏面に弾性部を曲げ加工により一体に具備した他の実施形態を示す縦断側面図
【符号の説明】
Ａ，Ａ−１，
Ａ−２：クリップ　　　　１：クリップ部
１−１：玉部　　　　　　２：弾性部
２−１：取付片　　　　　２−２：連設片部
３，１１，
１３：取　　　　　　　４：筒体
５：操　　　　　　　６：支持脚部
６−１：下端接触　　　　９：第１屈曲部
１０：第２屈曲部　　　Ｐ０：揺動支持点
Ｐ１：揺動開　　　　　Ｐ２：バネ支点
Ｂ：被挾着物
【図１】
2004082533.tif 000003
【図２】
2004082533.tif 000004
【図３】
2004082533.tif 000005
【図４】
2004082533.tif 000006
【図５】
2004082533.tif 000007
【図６】
2004082533.tif 000008
【図７】
2004082533.tif 000009